(57)【特許請求の範囲】
【請求項１】
地面に立設し、ネット体を吊り張りした複数の支柱を補強するべく、隣り合う支柱間の上下方向で２本を立面視で交差するように連結する支線ワイヤーのうち、コーナー部分における負荷のかかる支柱間で一方の支柱の上端側に連結し、他端側を他方の支柱の下端側に連結された第１支線ワイヤーと、他方の支柱の上端側に連結された第２支線ワイヤーと、を備え、該第２支線ワイヤーの下端側に支線ロッド棒を連結し、該支線ロッド棒の先端側に、該ネット体が吊り張りされる面と該第２支線ワイヤーとが所定の角度をなすように地面に埋設するアンカーを固定したことを特徴とする支線ワイヤーの取り付け構造。
【請求項２】
地面に所望の間隔で複数本の支柱を立設し、該支柱側にネット体を吊り張りし、隣り合う支柱間の上下方向で支線ワイヤー２本を立面視で交差するように連結することで支柱を補強する際、コーナー部分における負荷のかかる支柱間で第１支線ワイヤーの一方を支柱の上端側に連結し、他端側を他方の支柱の下端側に連結するとともに、第２支線ワイヤーの一方を他方の支柱の上端側に連結し、下端側に支線ロッド棒を連結し該支線ロッド棒の先端側にアンカーを連結した後、該アンカー部分を、該ネット体が吊り張りされる面と該第２支線ワイヤーとが所定の角度をなすように地面に埋設することで該第２支線ワイヤーの引張力方向を調整することを特徴とする支線ワイヤーの取り付け方法。
【発明の詳細な説明】
【技術分野】
【０００１】本発明は、電線の支柱、防球用ネット体に用いる支柱を補強する支柱用の支線ワイヤーの取り付け構造、及び該支柱用の支線ワイヤーの取り付け方法に関する。
【背景技術】
【０００２】従来、屋外の球技施設等のグランドの外周に沿って囲むように設置される防球用のネット体は、外周に沿って所望の間隔で地面に立設した複数本の支柱間に吊り張りされている。【０００３】上記ネット体の吊り張りされた支柱間には支柱の補強用として支線ワイヤーが隣接する支柱の上下方向で２本を交互に交差して連結している。【０００４】又は、ネット体の上下方向の高さに応じて二段に４本の支線ワイヤーを交差して連結している。
【発明が解決しようとする課題】
【０００５】しかしながら、上記従来の支柱用の支線ワイヤーは、２本の支線ワイヤーを隣り合う支柱の上下方向で交差状に連結しているために、該支線ワイヤーの方向に大きく引張力が働き、支柱をネット体の吊り張り方向に対して補強できるが、ネット体と交差する方向に対しては十分な補強ができない。
【０００６】特に、コーナー部分においてはネット体を吊り張りした支柱がグランド側へ傾く変位が生じ易く、支柱を逆方向に支持する作業が必要であった。
【０００７】また、上記支柱の変位に対して支柱を支持する地面の地質、地中部の耐力を考慮する必要があった。
【０００８】そこで、本発明は、支柱の傾斜を適切に防止し、安全で、且つ頻繁なメンテナンスを必要としない支柱用の支線ワイヤーの取り付け構造、及び該支柱用の支線ワイヤーの取り付け方法を提供することを課題とする。
【課題を解決するための手段】
【０００９】本発明は、上記課題を解決するための支柱用の支線ワイヤーは、請求１に記載のように、地面に立設し、ネット体吊り張りした複数の支柱を補強すべく、隣り合う支柱間の上下方向で２本を立面視で交差するように連結する支線ワイヤーのうち、コーナー部分における負荷のかかる支柱間で一方の支柱の上端側に連結し、他端側を他方の支柱の下端側に連結された第１支線ワイヤーと、他方の支柱の上部側に連結された第２支線ワイヤーと、を備え、該第２支線ワイヤーの下端側に支線ロッド棒を連結し、該支線ロッド棒の先端側に、該ネット体が吊り張りされる面と該第２支線ワイヤーとが所定の角度をなすように地面に埋設するアンカーを固定したことを特徴とする。
【００１０】また、上記課題を解決するための支柱用の支線ワイヤーの取り付け方法は、請求項２に記載のように、地面に所望の間隔で複数本の支柱を立設し、該支柱側にネット体を吊り張りし、隣り合う支柱間の上下方向で支線ワイヤー２本を立面視で交差するように連結することで支柱を補強する際、コーナー部分における負荷のかかる支柱間で第１支線ワイヤーの一方の支柱の上端側に連結し、他端側を他方の支柱の下端側に連結するとともに、第２支線ワイヤーの一方を他方の支柱の上端側に連結し、下端側に支線ロッド棒を連結し該支線ロッド棒の先端側にアンカーを連結した後、該アンカー部分を、該ネット体が吊り張りされる面と該第２支線ワイヤーとが所定の角度をなすように地面に埋設することで該第２支線ワイヤーの引張力方向を調整することを特徴とする。
【発明の作用及び効果】
【００１１】本発明の支柱用の支線ワイヤーの取り付け構造、及び該支柱用の支線ワイヤーの取り付け方法の作用効果を説明する。
【００１２】先ず、請求項１に記載の支柱用の支線ワイヤーは、ネット体を吊り張りするために、地面に立設した複数本の支柱に連結して補強する。
【００１３】上記支線ワイヤーは、２本の支線ワイヤーを隣接する支柱の上下方向で立面視で交差するように連結する。
【００１４】この際、コーナー部分における負荷のかかる支柱間において、第１支線ワイヤーを一方の支柱の上端側に連結し、他端側を他方の支柱の下端側に連結し、第２支線ワイヤーを、他方の支柱の上端側に連結し、下端側に支線ロッド棒を連結するとともに、該支線ロッド棒の先端側に、ネット体が吊り張りされる面と該第２支線ワイヤーとが所定の角度をなすように地面に埋設するアンカーを固定することで、支線を交差して連結する場合に比し、支柱間の張力を軽減でき、支柱の前方側への傾斜を軽減することができる。
【００１５】また、所望の位置で支柱を補強できるために、特に内側へ傾斜し易いコーナー部分の補強に最適に対応することができる。
【００１６】次に、請求項２に記載の支柱用の支線ワイヤーの取り付け方法は、地面に所望の間隔で支柱を立設し、該支柱間にネット体を吊り張りする。
【００１７】その後、２本の支線ワイヤーを前記隣接する支柱間の上下方向を立面視で交差するように連結することで支柱を補強する。
【００１８】この際、コーナー部分における負荷のかかる支柱間は、第１支線ワイヤーの一方を支柱の上端側に連結し、他端側を他方の支柱の下端側に連結するとともに、第２支線ワイヤーの一方を他方の支柱の上端側に連結し、下端側に支線ロッド棒を連結し該支線ロッド棒の先端側にアンカーを連結した後、該アンカー部分を、該ネット体が吊り張りされる面と該第２支線ワイヤーとが所定の角度をなすように地面に埋設することで、該第２支線ワイヤーの引張方向を調整する。
【００１９】これにより、支柱の傾斜方向を逆方向に引っ張ることができるので、支柱の頻繁なメンテナンスを必要としない。
【００２０】また、常に適切な位置で支柱を補強することができ、スムーズに支柱を補強することができる。
【発明を実施するための形態】
【００２１】本発明の支柱用の支線ワイヤー、及び支柱用の支線ワイヤーの取り付け方法の一実施例について説明する。
【００２２】図１は、本発明の支柱用の支線ワイヤーの一実施例を示す概略正面図であり、図２は図１の支柱用の支線ワイヤーを示す概略側面図であり、図３は図１の支柱用の支線ワイヤーによる引っ張り方向を示す説明図であり、図４は本発明の支柱用の支線ワイヤーの他実施例を示す概略正面図であり、図５はグランドの外周に沿って吊り張りしたネット体を示す概略平面図であり、図６は図５のネット体を示す概略正面図であり、図７は本発明の支柱用の支線ワイヤーの取り付け方法を示すフローチャートである。
【００２３】本発明の支柱用の支線ワイヤー１は、ネット体１０を吊り張りし、地面に立設した支柱１１間に連結して使用する。
【００２４】上記支線ワイヤー１は、隣り合う支柱１１間で一端側を一方の支柱１１Ａの上部側に連結し、他端側を他方の支柱１１Ｂの下部側に連結した第１支線ワイヤー２と、他方側の支柱１１Ｂの上部側に連結し、他端側に支線ロット棒４を介して地面に固定用のアンカー５を連結した第２支線ワイヤー３から構成されている。
【００２５】前記第２支線ワイヤー２は支柱１１の鉛直方向に対して取付角度を４５度〜３０度となるように施設すべくアンカー５を地面に埋設する。
【００２６】上記により、前記隣り合う支柱１１Ａ，１１Ｂには、第１支線ワイヤー２、及び第２支線ワイヤー３の連結方向に大きく引張力が生じる。この引張力を利用して、第１支線ワイヤー２の張力（Ｗ）に対して、第２支線ワイヤー３をネット体１０の吊り張り方向に対して垂直方向に引張力（Ｐ）を働かせて、支柱１１の脚部分に生じる変位（Ｖ）による傾き（Ｓ）を阻止する。
【００２７】尚、上記実施例では第１支線ワイヤー２を一方の支柱１１Ａの上端側に連結し、他端側を他方の支柱１１Ｂの下端側に連結し、第２支線ワイヤー３を他方の支柱１１Ｂの上端側に連結し、他端側を直接地面に埋設したが、本発明の支線ワイヤー１の取り付けはこれに限定するものでなく、例えば、第１支線ワイヤー２を二分割し（２Ａ，２Ｂ）、第１支線ワイヤー２Ａの一端側を一方の支柱１１Ａの上部側に連結し、他端側を他方の支柱１１Ｂの中途部に連結するとともに、第１支線ワイヤー２Ｂの一端側を他方の支柱１１Ｂの中途部に連結し、他端側を一方の支柱１１Ｂの下端側に連結し、第２支線ワイヤー３を二分割し（３Ａ，３Ｂ）、第２支線ワイヤー３Ａの一端側を他方の支柱１１Ｂの上端側に連結し、他端側を一方の支柱１１Ａの中途部に連結するとともに、第２支線ワイヤー３Ｂの一端側を一方の支柱１１Ａの中途部に連結し、他端側にアンカー５を連結して地面に埋設するように連結することも可能である。
【００２８】本発明の支柱用の支線ワイヤー１は上記のように構成され、次にグランドの外周に沿って吊り張りしたネット体１０を支える支柱１１を補強するために取り付ける支線ワイヤー１について説明する。
【００２９】先ず屋外のグランドの外周に沿って所望の間隔で支柱１１を複数本立設し、隣り合う支柱１１間で支線ワイヤー１を連結する。
【００３０】前記支線ワイヤー１の連結は通常、隣り合う支柱１１間の上下方向で２本を交互に交差するように連結する。これにより、支線ワイヤーＩの取り付け方向に、大きく引張力が生じるが、支柱１１の脚部分に変位が発生する。
【００３１】特に、コーナー部分の支柱１１Ｂ，１１Ｃは、両側に引っ張られ、グランド側に傾斜（Ｓ）するような負荷がかかり、支柱１１Ｂ，１１Ｃの脚部分が変位（Ｖ）し易く、支柱１１Ｂ，１１Ｃの上部側にサポートビーム７を取り付けるが、負荷を十分に解消できない。
【００３２】そこで、支線ワイヤー１の連結は、第１支線ワイヤー２の一端側を一方の支柱１１Ｂ，１１Ｃの上端側に連結し他端側を他方の支柱１１Ａ，１１Ｄの下端側に連結し、第２支線ワイヤー３は一端側を支柱１１Ａ，１１Ｄの上端側に連結しネット体１０の吊り張り方向に対して３０度〜４５度傾斜するように他端側を引っ張り、先端側に固定したアンカー５を地面に埋設する。
【００３３】これにより、支柱１１Ｂ，１１Ｃの脚部分の傾き（Ｓ）により変位（Ｖ）を解消することができる。
【００３４】また、各支柱１１Ａ，１１Ｂ，１１Ｃ，１１Ｄ等がバランスよく立設でき、従来のように頻繁なメンテナンスを必要としない。
【００３５】また、負荷のかかる支柱１１部分のみを適切に補強することができる。
【００３６】このように、本発明の支柱用の支線ワイヤー１は、支柱１１の傾斜を適切に解消し、安全で且つ容易に支柱１１を補強することができる。
【００３７】また、支柱１１を長期にわたり補強でき、頻繁なメンテナンスを必要としない。
【図面の簡単な説明】
【００３８】
【図１】本発明の支柱用の支線ワイヤーの一実施例を示す概略正面図
【図２】図１の支柱用の支線ワイヤーを示す概略側面図
【図３】図の支柱用の支線ワイヤーによる引っ張り方向を示す概略説明図
【図４】本発明用の支線ワイヤーの他実施例を示す概略正面図
【図５】グランド外周に沿って吊り張りしたネット体を示す概賂平面図
【図６】図５のネット体を示す概略正面図
【図７】本発明の支柱用の支線ワイヤーの取り付け方法を示すフローチャート
【符号の説明】
【００３９】１−支線ワイヤー、４−支線ロット棒、５−アンカー、
【図１】
0005904446.tif 000002
【図２】
0005904446.tif 000003
【図３】
0005904446.tif 000004
【図４】
0005904446.tif 000005
【図５】
0005904446.tif 000006
【図６】
0005904446.tif 000007
【図７】
0005904446.tif 000008